【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ端末において、アクセスポイントへの物理レイヤ（ＰＨＹ）サービスデータユニット（ＰＳＤＵ）の送信のためのターゲット送信持続時間を示すトリガフレームを前記アクセスポイントから受信することと、
前記ユーザ端末において、少なくとも１つのアグリゲートされた媒体アクセス制御（ＭＡＣ）パケットデータユニット（Ａ−ＭＰＤＵ）サブフレームを備えるＡ−ＭＰＤＵフレームを生成すること、前記Ａ−ＭＰＤＵフレームは、第１の長さを有する、と、
前記ユーザ端末において、第２の長さを有する追加のパディングサブフレームが前記第１の長さ、前記第２の長さ、および前記ターゲット送信持続時間に少なくとも部分的に基づいて前記Ａ−ＭＰＤＵフレームに追加されうるかどうかを決定することと、
前記ユーザ端末において、前記第１の長さと前記ターゲット送信持続時間との間の比較に少なくとも部分的に基づいて前記Ａ−ＭＰＤＵフレーム中に１つまたは複数のパディングサブフレームを含めることと、
前記ユーザ端末において、前記ＰＳＤＵを生成すること、前記ＰＳＤＵは、前記Ａ−ＭＰＤＵフレームと前記１つまたは複数のパディングサブフレームとを含む、と、
前記ターゲット送信持続時間にわたって前記ユーザ端末から前記生成されたＰＳＤＵを送信することと
を備える、方法。
【請求項２】
４で割った前記第１の長さの余りがゼロに等しいかどうかを決定することと、
前記第１の長さが前記ターゲット送信持続時間未満であり、前記余りがゼロに等しくないときに、前記Ａ−ＭＰＤＵフレーム中にオクテットのパディングを含めることと、
前記Ａ−ＭＰＤＵフレーム中に含められたオクテットのパディングごとに１だけ前記第１の長さをインクリメントすることと
をさらに備える、請求項１に記載の方法。
【請求項３】
前記ターゲット送信持続時間と前記第１の長さとの間の差異が４より大きいかどうかを決定することと、
前記差異が４より大きいときに前記Ａ−ＭＰＤＵフレーム中にフレーム終了パディングサブフレームを含めることと、
前記Ａ−ＭＰＤＵフレーム中に含められたフレーム終了パディングサブフレームごとに４だけ前記第１の長さをインクリメントすることと
をさらに備える、請求項１に記載の方法。
【請求項４】
前記Ａ−ＭＰＤＵフレーム中に最後のフレーム終了パディングサブフレームを含めることと、
前記第１の長さが前記ターゲット送信持続時間未満であるときに前記最後のフレーム終了パディングサブフレーム中にオクテットのパディングを含めることと、
前記最後のフレーム終了パディングサブフレーム中に含められたオクテットのパディングごとに１だけ前記第１の長さをインクリメントすることと
をさらに備える、請求項１に記載の方法。
【請求項５】
前記ターゲット送信持続時間にわたって複数のユーザ端末と同時に前記ＰＳＤＵを送信することをさらに備える、
請求項１に記載の方法。
【請求項６】
前記アクセスポイントからの前記トリガフレームは、変調またはコーディングレートおよび送信電力レベルをさらに示す、
請求項１に記載の方法。
【請求項７】
前記送信されたＰＳＤＵの送信電力レベルは、前記ターゲット送信持続時間中において一定である、
請求項１に記載の方法。
【請求項８】
前記ターゲット送信持続時間に等しくなるように前記第１の長さを増大させるのに十分な複数のビットを前記Ａ−ＭＰＤＵフレームに追加することをさらに備える、
請求項１に記載の方法。
【請求項９】
前記複数のビットは、
フレーム終了パディングデリミタと、
サブフレームパッドオクテットと、
アグリゲートされた媒体アクセス制御プロトコルデータユニットフレーム終了サブフレームと
のうちの少なくとも１つを備える、請求項８に記載の方法。  
【請求項１０】
前記ＰＳＤＵを送信するための、前記トリガフレーム中に示された送信データレートを利用することをさらに備える、
請求項１に記載の方法。
【請求項１１】
前記ＰＳＤＵを送信するための、前記トリガフレーム中に示されたアグリゲーションのレベルを利用することをさらに備える、
請求項１に記載の方法。
【請求項１２】
前記ＰＳＤＵを送信するための、セットアップフェーズ中に前記ユーザ端末によって決定されたアップリンク送信機会を利用することをさらに備える、
請求項１に記載の方法。
【請求項１３】
前記トリガフレームは、送信可（ＣＴＸ）メッセージであり、前記ＰＳＤＵは、ＰＨＹ変換プロトコルデータユニット（ＰＰＤＵ）内で送信される、
請求項１に記載の方法。
【請求項１４】
ワイヤレス通信のためのユーザ端末であって、
アクセスポイントへの物理レイヤ（ＰＨＹ）サービスデータユニット（ＰＳＤＵ）の送信のためのターゲット送信持続時間を示すトリガフレームを前記アクセスポイントから受信するための手段と、
少なくとも１つのアグリゲートされた媒体アクセス制御（ＭＡＣ）パケットデータユニット（Ａ−ＭＰＤＵ）サブフレームを備えるＡ−ＭＰＤＵフレームを生成するための手段、前記Ａ−ＭＰＤＵフレームは、第１の長さを有する、と、
第２の長さを有する追加のパディングサブフレームが前記第１の長さ、前記第２の長さ、および前記ターゲット送信持続時間に少なくとも部分的に基づいて前記Ａ−ＭＰＤＵフレームに追加されうるかどうかを決定するための手段と、
前記第１の長さと前記ターゲット送信持続時間との間の比較に少なくとも部分的に基づいて前記Ａ−ＭＰＤＵフレーム中に１つまたは複数のパディングサブフレームを含めるための手段と、
前記ＰＳＤＵを生成するための手段、前記ＰＳＤＵは、前記Ａ−ＭＰＤＵフレームと前記１つまたは複数のパディングサブフレームとを含む、と、
前記ターゲット送信持続時間にわたって前記生成されたＰＳＤＵを送信するための手段と
を備える、ユーザ端末。
【請求項１５】
実行されたとき、コンピュータに、請求項１乃至１３のいずれか１項に従う方法をを実行させる命令を備えるコンピュータ可読媒体。
【手続補正２】
【補正対象書類名】明細書
【補正対象項目名】０１１０
【補正方法】変更
【補正の内容】
【０１１０】
[00135]前述の内容が本開示の態様を対象としている一方、本開示の他のおよびさらなる態様は、その基本的な範囲から逸脱することなしに考案されえ、その範囲は、後続する特許請求の範囲によって決定される。
以下に、本願出願の当初の特許請求の範囲に記載された発明を付記する。
［Ｃ１］
ワイヤレス通信のための方法であって、
ユーザ端末において、アクセスポイントへの物理レイヤ（ＰＨＹ）サービスデータユニット（ＰＳＤＵ）の送信のためのターゲット送信持続時間を示すトリガフレームを前記アクセスポイントから受信することと、
少なくとも１つのアグリゲートされた媒体アクセス制御（ＭＡＣ）パケットデータユニット（Ａ−ＭＰＤＵ）サブフレームを備えるＡ−ＭＰＤＵフレームを生成すること、前記Ａ−ＭＰＤＵフレームは、第１の長さを有する、と、
第２の長さを有する追加のＡ−ＭＰＤＵサブフレームが前記第１の長さ、前記第２の長さ、および前記ターゲット送信持続時間に少なくとも部分的に基づいて前記Ａ−ＭＰＤＵフレームに追加されうるかどうかを決定することと、
前記第１の長さと前記ターゲット送信持続時間との間の比較に少なくとも部分的に基づいて前記Ａ−ＭＰＤＵフレーム中に１つまたは複数のパディングサブフレームを含めることと、
前記ＰＳＤＵを生成すること、前記ＰＳＤＵは、前記Ａ−ＭＰＤＵフレームと前記１つまたは複数のパディングサブフレームとを含む、と、
前記ターゲット送信持続時間にわたって前記ユーザ端末から前記生成されたＰＳＤＵを送信することと
を備える、方法。
［Ｃ２］
４で割った前記第１の長さの余りがゼロに等しいかどうかを決定することと、
前記第１の長さが前記ターゲット送信持続時間未満であり、前記余りがゼロに等しくないときに、前記Ａ−ＭＰＤＵフレーム中にオクテットのパディングを含めることと、
前記Ａ−ＭＰＤＵフレーム中に含められたオクテットのパディングごとに１だけ前記第１の長さをインクリメントすることと
をさらに備える、［Ｃ１］に記載の方法。
［Ｃ３］
前記ターゲット送信持続時間と前記第１の長さとの間の差異が４より大きいかどうかを決定することと、
前記差異が４より大きいときに前記Ａ−ＭＰＤＵフレーム中にフレーム終了パディングサブフレームを含めることと、
前記Ａ−ＭＰＤＵフレーム中に含められたフレーム終了パディングサブフレームごとに４だけ前記第１の長さをインクリメントすることと
をさらに備える、［Ｃ１］に記載の方法。
［Ｃ４］
前記Ａ−ＭＰＤＵフレーム中に最後のフレーム終了パディングサブフレームを含めることと、
前記第１の長さが前記ターゲット送信持続時間未満であるときに前記最後のフレーム終了パディングサブフレーム中にオクテットのパディングを含めることと、
前記最後のフレーム終了パディングサブフレーム中に含められたオクテットのパディングごとに１だけ前記第１の長さをインクリメントすることと
をさらに備える、［Ｃ１］に記載の方法。
［Ｃ５］
前記ターゲット送信持続時間にわたって複数のユーザ端末と同時に前記ＰＳＤＵを送信することをさらに備える、
［Ｃ１］に記載の方法。
［Ｃ６］
前記アクセスポイントからの前記トリガフレームは、変調またはコーディングレートおよび送信電力レベルをさらに示す、
［Ｃ１］に記載の方法。
［Ｃ７］
前記送信されたＰＳＤＵの送信電力レベルは、前記ターゲット送信持続時間中において実質的に一定である、
［Ｃ１］に記載の方法。
［Ｃ８］
前記ターゲット送信持続時間に等しくなるように前記第１の長さを増大させるのに十分な複数のビットを前記Ａ−ＭＰＤＵフレームに追加することをさらに備える、
［Ｃ１］に記載の方法。
［Ｃ９］
前記複数のビットは、
フレーム終了パディングデリミタと、
サブフレームパッドオクテットと、
アグリゲートされた媒体アクセス制御プロトコルデータユニットフレーム終了サブフレームと
のうちの少なくとも１つを備える、［Ｃ８］に記載の方法。  
［Ｃ１０］
前記ＰＳＤＵを送信するための、前記トリガフレーム中に示された送信データレートを利用することをさらに備える、
［Ｃ１］に記載の方法。
［Ｃ１１］
前記ＰＳＤＵを送信するための、前記トリガフレーム中に示されたアグリゲーションのレベルを利用することをさらに備える、
［Ｃ１］に記載の方法。
［Ｃ１２］
前記ＰＳＤＵを送信するための、セットアップフェーズ中に前記ユーザ端末によって決定されたアップリンク送信機会を利用することをさらに備える、
［Ｃ１］に記載の方法。
［Ｃ１３］
前記トリガフレームは、送信可（ＣＴＸ）メッセージであり、前記ＰＳＤＵは、ＰＨＹ変換プロトコルデータユニット（ＰＰＤＵ）内で送信される、
［Ｃ１］に記載の方法。
［Ｃ１４］
ワイヤレス通信のためのユーザ端末であって、
アクセスポイントへの物理レイヤ（ＰＨＹ）サービスデータユニット（ＰＳＤＵ）の送信のためのターゲット送信持続時間を示すトリガフレームを前記アクセスポイントから受信するように構成された受信機と、
少なくとも１つのアグリゲートされた媒体アクセス制御（ＭＡＣ）パケットデータユニット（Ａ−ＭＰＤＵ）サブフレームを備えるＡ−ＭＰＤＵフレームを生成すること、前記Ａ−ＭＰＤＵフレームは、第１の長さを有する、と、
第２の長さを有する追加のＡ−ＭＰＤＵサブフレームが前記第１の長さ、前記第２の長さ、および前記ターゲット送信持続時間に少なくとも部分的に基づいて前記Ａ−ＭＰＤＵフレームに追加されうるかどうかを決定することと、
前記第１の長さと前記ターゲット送信持続時間との間の比較に少なくとも部分的に基づいて前記Ａ−ＭＰＤＵフレーム中に１つまたは複数のパディングサブフレームを含めることと、
前記ＰＳＤＵを生成すること、前記ＰＳＤＵは、前記Ａ−ＭＰＤＵフレームと前記１つまたは複数のパディングサブフレームとを含む、と
を行うように構成されたプロセッサと、
前記ターゲット送信持続時間にわたって前記生成されたＰＳＤＵを送信するように構成された送信機と
を備える、ユーザ端末。
［Ｃ１５］
前記プロセッサは、
４で割った前記第１の長さの余りがゼロに等しいかどうかを決定することと、
前記第１の長さが前記ターゲット送信持続時間未満であり、前記余りがゼロに等しくないときに、前記Ａ−ＭＰＤＵフレーム中にオクテットのパディングを含めることと、
前記Ａ−ＭＰＤＵフレーム中に含められたオクテットのパディングごとに１だけ前記第１の長さをインクリメントすることと
を行うようにさらに構成される、［Ｃ１４］に記載のユーザ端末。
［Ｃ１６］
前記プロセッサは、
前記ターゲット送信持続時間と前記第１の長さとの間の差異が４より大きいかどうかを決定することと、
前記差異が４より大きいときに前記Ａ−ＭＰＤＵフレーム中にフレーム終了パディングサブフレームを含めることと、
前記Ａ−ＭＰＤＵフレーム中に含められたフレーム終了パディングサブフレームごとに４だけ前記第１の長さをインクリメントすることと
を行うようにさらに構成される、［Ｃ１４］に記載のユーザ端末。
［Ｃ１７］
前記プロセッサは、
前記Ａ−ＭＰＤＵフレーム中に最後のフレーム終了パディングサブフレームを含めることと、
前記第１の長さが前記ターゲット送信持続時間未満であるときに前記最後のフレーム終了パディングサブフレーム中にオクテットのパディングを含めることと、
前記最後のフレーム終了パディングサブフレーム中に含められたオクテットのパディングごとに１だけ前記第１の長さをインクリメントすることと
を行うようにさらに構成される、［Ｃ１４］に記載のユーザ端末。
［Ｃ１８］
前記送信機は、前記ターゲット送信持続時間にわたって複数のユーザ端末と同時に前記ＰＳＤＵを送信するようにさらに構成される、
［Ｃ１４］に記載のユーザ端末。
［Ｃ１９］
前記アクセスポイントからの前記トリガフレームは、変調またはコーディングレートおよび送信電力レベルをさらに示す、
［Ｃ１４］に記載のユーザ端末。
［Ｃ２０］
前記送信されたＰＳＤＵの送信電力レベルは、前記ターゲット送信持続時間中において実質的に一定である、
［Ｃ１４］に記載のユーザ端末。
［Ｃ２１］
前記ターゲット送信持続時間に等しくなるように前記第１の長さを増大させるのに十分な複数のビットを前記Ａ−ＭＰＤＵフレームに追加することをさらに備える、
［Ｃ１４］に記載のユーザ端末。
［Ｃ２２］
前記複数のビットは、
フレーム終了パディングデリミタと、
サブフレームパッドオクテットと、
アグリゲートされた媒体アクセス制御プロトコルデータユニットフレーム終了サブフレームと
のうちの少なくとも１つを備える、［Ｃ２１］に記載のユーザ端末。
［Ｃ２３］
前記ＰＳＤＵを送信するための、前記トリガフレーム中に示された送信データレートを利用することをさらに備える、
［Ｃ１４］に記載のユーザ端末。
［Ｃ２４］
前記ＰＳＤＵを送信するための、前記トリガフレーム中に示されたアグリゲーションのレベルを利用することをさらに備える、
［Ｃ１４］に記載のユーザ端末。
［Ｃ２５］
前記ＰＳＤＵを送信するための、セットアップフェーズ中に決定されたアップリンク送信機会を利用すること、ここにおいて、前記トリガフレームは、送信可（ＣＴＸ）メッセージである、
をさらに備える、［Ｃ１４］に記載のユーザ端末。
［Ｃ２６］
ワイヤレス通信のためのユーザ端末であって、
アクセスポイントへの物理レイヤ（ＰＨＹ）サービスデータユニット（ＰＳＤＵ）の送信のためのターゲット送信持続時間を示すトリガフレームを前記アクセスポイントから受信するための手段と、
少なくとも１つのアグリゲートされた媒体アクセス制御（ＭＡＣ）パケットデータユニット（Ａ−ＭＰＤＵ）サブフレームを備えるＡ−ＭＰＤＵフレームを生成するための手段、前記Ａ−ＭＰＤＵフレームは、第１の長さを有する、と、
第２の長さを有する追加のＡ−ＭＰＤＵサブフレームが前記第１の長さ、前記第２の長さ、および前記ターゲット送信持続時間に少なくとも部分的に基づいて前記Ａ−ＭＰＤＵフレームに追加されうるかどうかを決定するための手段と、
前記第１の長さと前記ターゲット送信持続時間との間の比較に少なくとも部分的に基づいて前記Ａ−ＭＰＤＵフレーム中に１つまたは複数のパディングサブフレームを含めるための手段と、
前記ＰＳＤＵを生成するための手段、前記ＰＳＤＵは、前記Ａ−ＭＰＤＵフレームと前記１つまたは複数のパディングサブフレームとを含む、と、
前記ターゲット送信持続時間にわたって前記生成されたＰＳＤＵを送信するための手段と
を備える、ユーザ端末。
［Ｃ２７］
４で割った前記第１の長さの余りがゼロに等しいかどうかを決定するための手段と、
前記第１の長さが前記ターゲット送信持続時間未満であり、前記余りがゼロに等しくないときに、前記Ａ−ＭＰＤＵフレーム中にオクテットのパディングを含めるための手段と、
前記Ａ−ＭＰＤＵフレーム中に含められたオクテットのパディングごとに１だけ前記第１の長さをインクリメントするための手段と
をさらに備える、［Ｃ２６］に記載のユーザ端末。
［Ｃ２８］
前記ターゲット送信持続時間と前記第１の長さとの間の差異が４より大きいかどうかを決定するための手段と、
前記差異が４より大きいときに前記Ａ−ＭＰＤＵフレーム中にフレーム終了パディングサブフレームを含めるための手段と、
前記Ａ−ＭＰＤＵフレーム中に含められたフレーム終了パディングサブフレームごとに４だけ前記第１の長さをインクリメントするための手段と
をさらに備える、［Ｃ２６］に記載のユーザ端末。
［Ｃ２９］
前記Ａ−ＭＰＤＵフレーム中に最後のフレーム終了パディングサブフレームを含めるための手段と、
前記第１の長さが前記ターゲット送信持続時間未満であるときに前記最後のフレーム終了パディングサブフレーム中にオクテットのパディングを含めるための手段と、
前記最後のフレーム終了パディングサブフレーム中に含められたオクテットのパディングごとに１だけ前記第１の長さをインクリメントするための手段と
をさらに備える、［Ｃ２６］に記載のユーザ端末。
［Ｃ３０］
前記ターゲット送信持続時間にわたって複数のユーザ端末と同時に前記ＰＳＤＵを送信するための手段をさらに備える、
［Ｃ２６］に記載のユーザ端末。
［Ｃ３１］
前記アクセスポイントからの前記トリガフレームは、変調またはコーディングレートおよび送信電力レベルをさらに示す、
［Ｃ２６］に記載のユーザ端末。
［Ｃ３２］
前記送信されたＰＳＤＵの送信電力レベルは、前記ターゲット送信持続時間中において実質的に一定である、
［Ｃ２６］に記載のユーザ端末。
［Ｃ３３］
前記ターゲット送信持続時間に等しくなるように前記第１の長さを増大させるのに十分な複数のビットを前記Ａ−ＭＰＤＵフレームに追加するための手段をさらに備える、
［Ｃ２６］に記載のユーザ端末。
［Ｃ３４］
前記複数のビットは、
フレーム終了パディングデリミタと、
サブフレームパッドオクテットと、
アグリゲートされた媒体アクセス制御プロトコルデータユニットフレーム終了サブフレームと
のうちの少なくとも１つを備える、［Ｃ３３］に記載のユーザ端末。
［Ｃ３５］
前記ＰＳＤＵを送信するための、前記トリガフレーム中に示された送信データレートを利用するための手段をさらに備える、
［Ｃ２６］に記載のユーザ端末。
［Ｃ３６］
前記ＰＳＤＵを送信するための、前記トリガフレーム中に示されたアグリゲーションのレベルを利用するための手段をさらに備える、
［Ｃ２６］に記載のユーザ端末。
［Ｃ３７］
前記ＰＳＤＵを送信するための、セットアップフェーズ中に決定されたアップリンク送信機会を利用するための手段をさらに備え、前記トリガフレームは、送信可（ＣＴＸ）メッセージである、
［Ｃ２６］に記載のユーザ端末。
［Ｃ３８］
実行されたとき、通信の方法を遂行する命令を備える非一時的コンピュータ可読媒体であって、前記方法は、
ユーザ端末において、アクセスポイントへの物理レイヤ（ＰＨＹ）サービスデータユニット（ＰＳＤＵ）の送信のためのターゲット送信持続時間を示すトリガフレームを前記アクセスポイントから受信することと、
少なくとも１つのアグリゲートされた媒体アクセス制御（ＭＡＣ）パケットデータユニット（Ａ−ＭＰＤＵ）サブフレームを備えるＡ−ＭＰＤＵフレームを生成することと、前記Ａ−ＭＰＤＵフレームは、第１の長さを有する、
第２の長さを有する追加のＡ−ＭＰＤＵサブフレームが前記第１の長さ、前記第２の長さ、および前記ターゲット送信持続時間に少なくとも部分的に基づいて前記Ａ−ＭＰＤＵフレームに追加されうるかどうかを決定することと、
前記第１の長さと前記ターゲット送信持続時間との間の比較に少なくとも部分的に基づいて前記Ａ−ＭＰＤＵフレーム中に１つまたは複数のパディングサブフレームを含めることと、
前記ＰＳＤＵを生成することと、前記ＰＳＤＵは、前記Ａ−ＭＰＤＵフレームと前記１つまたは複数のパディングサブフレームとを含む、
前記ターゲット送信持続時間にわたって前記ユーザ端末から前記生成されたＰＳＤＵを送信することと
を備える、非一時的コンピュータ可読媒体。
［Ｃ３９］
前記方法は、
４で割った前記第１の長さの余りがゼロに等しいかどうかを決定することと、
前記第１の長さが前記ターゲット送信持続時間未満であり、前記余りがゼロに等しくないときに、前記Ａ−ＭＰＤＵフレーム中にオクテットのパディングを含めることと、
前記Ａ−ＭＰＤＵフレーム中に含められたオクテットのパディングごとに１だけ前記第１の長さをインクリメントすることと
をさらに備える、［Ｃ３８］に記載の非一時的コンピュータ可読媒体。
［Ｃ４０］
前記方法は、
前記ターゲット送信持続時間と前記第１の長さとの間の差異が４より大きいかどうかを決定することと、
前記差異が４より大きいときに前記Ａ−ＭＰＤＵフレーム中にフレーム終了パディングサブフレームを含めることと、
前記パディング情報中に含められたフレーム終了パディングサブフレームごとに４だけ前記第１の長さをインクリメントすることと
をさらに備える、［Ｃ３８］に記載の非一時的コンピュータ可読媒体。
［Ｃ４１］
前記方法は、
前記Ａ−ＭＰＤＵフレーム中に最後のフレーム終了パディングサブフレームを含めることと、
前記第１の長さが前記ターゲット送信持続時間未満であるときに前記最後のフレーム終了パディングサブフレーム中にオクテットのパディングを含めることと、
前記最後のフレーム終了パディングサブフレーム中に含められたオクテットのパディングごとに１だけ前記第１の長さをインクリメントすることと
をさらに備える、［Ｃ３８］に記載の非一時的コンピュータ可読媒体。
［Ｃ４２］
前記方法は、
前記ターゲット送信持続時間にわたって複数のユーザ端末と同時に前記ＰＳＤＵを送信することをさらに備える、
［Ｃ３８］に記載の非一時的コンピュータ可読媒体。
［Ｃ４３］
前記アクセスポイントからの前記トリガフレームは、変調またはコーディングレートおよび送信電力レベルをさらに示す、
［Ｃ３８］に記載の非一時的コンピュータ可読媒体。
［Ｃ４４］
前記送信されたＰＳＤＵの送信電力レベルは、前記ターゲット送信持続時間中において実質的に一定である、
［Ｃ３８］に記載の非一時的コンピュータ可読媒体。
［Ｃ４５］
前記方法は、
前記ターゲット送信持続時間に等しくなるように前記第１の長さを増大させるのに十分な複数のビットを前記Ａ−ＭＰＤＵフレームに追加することをさらに備える、
［Ｃ３８］に記載の非一時的コンピュータ可読媒体。
［Ｃ４６］
前記複数のビットは、
フレーム終了パディングデリミタと、
サブフレームパッドオクテットと、
アグリゲートされた媒体アクセス制御プロトコルデータユニットフレーム終了サブフレームと
のうちの少なくとも１つを備える、［Ｃ４５］に記載の非一時的コンピュータ可読媒体。
［Ｃ４７］
前記方法は、
前記ＰＳＤＵを送信するための、前記トリガフレーム中に示された送信データレートを利用することをさらに備え、前記トリガフレームは、送信可（ＣＴＸ）メッセージである、
［Ｃ３８］に記載の非一時的コンピュータ可読媒体。
［Ｃ４８］
前記方法は、
前記ＰＳＤＵを送信するための、前記トリガフレーム中に示されたアグリゲーションのレベルを利用することをさらに備える、
［Ｃ３８］に記載の非一時的コンピュータ可読媒体。
［Ｃ４９］
前記方法は、
前記ＰＳＤＵを送信するための、セットアップフェーズ中に前記ユーザ端末によって決定されたアップリンク送信機会を利用することをさらに備える、
［Ｃ３８］に記載の非一時的コンピュータ可読媒体。
［Ｃ５０］
前記ＰＳＤＵは、ＰＨＹ変換プロトコルデータユニット（ＰＰＤＵ）内で送信される、
［Ｃ３８］に記載の非一時的コンピュータ可読媒体。